(57)【要約】      （修正有）【課題】二種の異なる規格のジャックに適用でき、脱落しない簡易式共用変換プラグを提供する。【解決手段】簡易式共用変換プラグは絶縁本体からなり、前端に複数の端子槽を設け、端子をそれぞれこれらの端子槽中に設置し、複数の導線がプラグと連接する時、導線は絶縁本体後端から挿入され、導線は絶縁本体中に伸入し、その後、絶縁本体は導線を挟着すると共に、導線の絶縁外皮を刺破して、電気的接続を達成し、絶縁本体上のボタンはジャックに挿入結合する用途で、ボタンを押せば、プラグが抜出される。【選択図】図３
0003128288.tif 000002
【実用新案登録請求の範囲】
【請求項１】
簡易式共用変換プラグであって、絶縁本体からなり、前端に複数の端子槽を設け、端子をそれぞれ前記端子槽中に設置し、その特徴は、前記絶縁本体のボタン上に一体成型の係合棒を設置し、前記プラグが広いジャックに挿入される時、前記係合棒がジャックを支承し、前記プラグが揺動せす、前記プラグが異なる規格のジャンクに適用できることを特徴とする簡易式共用変換プラグ。
【請求項２】
前記プラグの絶縁本体のボタンの係合棒は、突塊、弾性片、或いは、前記プラグを定位する装置であることを特徴とする請求項１に記載の簡易式共用変換プラグ。
【請求項３】
前記係合棒は、RJ１１規格のジャック、RJ４５規格、及び、その他の異なる規格のジャックに適用できることを特徴とする請求項１に記載の簡易式共用変換プラグ。
【請求項４】
簡易式共用変換プラグであって、絶縁本体からなり、前端に複数の端子槽を設け、端子をそれぞれ前記端子槽中に設置し、その特徴は、前記プラグ上方のボタン上に取り外し可能な係合素子を増設し、前記プラグが広いジャックに挿入される時、前記係合素子がジャックを支承し、前記プラグが揺動せす、前記プラグが異なる規格のジャンクに適用できることを特徴とする簡易式共用変換プラグ。
【請求項５】
前記プラグの絶縁本体のボタンの係合棒は、突塊、弾性片、或いは、前記プラグを定位する装置であることを特徴とする請求項４に記載の簡易式共用変換プラグ。
【請求項６】
前記係合棒は、RJ１１規格のジャック、RJ４５規格、及び、その他の異なる規格のジャックに適用できることを特徴とする請求項４に記載の簡易式共用変換プラグ。
【考案の詳細な説明】
【技術分野】
【０００１】
本考案は、簡易式共用変換プラグに関するものであって、特に、同一のプラグが二種の異なる規格のジャック中で正常に使用でき、且つ、脱落しない簡易式共用変換プラグに関するものである。
【背景技術】
【０００２】
インターネットの普及により、RJ１１とRJ４５の二種のプラグの規格はコンピューター通信製品中、非常に多く見られる製品である。コンピュータデータ伝送の器材は、RJ４５、或いは、RJ１１プラグがあり、図１は、公知のRJ１１プラグの立体図で、RJ１１プラグ１の主体は絶縁本体１１で、絶縁本体１１上にボタン１２を有し、絶縁本体１１の前端は、複数の端子槽１３である。絶縁本体１１後方に導線１４を伸入して固定し、且つ、絶縁本体１１は導線１４を挟着すると共に、導線１４の絶縁外皮を刺破して、電気的接続を達成する。RJ１１プラグはRJ１１ジャック１５に挿入でき、プラグの幅ａは、RJ１１のジャック１５だけ適用できる。図２は、公知のRJ４５プラグの立体図であり、主体は絶縁本体２１で、絶縁本体２１上にボタン２２を有し、絶縁本体２１の前端は、複数の端子槽２３である。絶縁本体２１後方に導線２４を伸入して固定し、且つ、絶縁本体２１は導線２４を挟着すると共に、導線２４の絶縁外皮を刺破して、電気的接続を達成する。RJ４５プラグ２はRJ４５ジャック２５に挿入でき、プラグの幅ｂは、RJ４５のジャック２５だけ適用できる。
【０００３】
RJ１１とRJ４５規格のジャックは異なる幅の規格であり、プラグも共用できないので、一つのプラグは単一規格だけ適用でき、業者は異なる規格のプラグを製造し、再度起型して、異なる尺寸の絶縁本体を製造せねばならず、製造コストが増加する。
【考案の開示】
【考案が解決しようとする課題】
【０００４】
本考案は、同一のプラグが二種の異なる規格のジャック中で正常に使用でき、且つ、脱落しない簡易式共用変換プラグを提供することを目的とする。
【課題を解決するための手段】
【０００５】
上述の目的を達成するため、本考案の簡易式共用変換プラグは、絶縁本体からなり、前端に複数の端子槽を設け、端子をそれぞれこれらの端子槽中に設置し、複数の導線がプラグと連接する時、導線は絶縁本体後端から挿入され、導線は絶縁本体中に伸入し、その後、絶縁本体は導線を挟着すると共に、導線の絶縁外皮を刺破して、電気的接続を達成し、絶縁本体上のボタンはジャックに挿入結合する用途で、ボタンを押せば、プラグが抜出される。
【考案の効果】
【０００６】
本考案により、同一のプラグが二種の異なる規格のジャック中で正常に使用でき、且つ、脱落しない、という長所が得られる。
【考案を実施するための最良の形態】
【０００７】
図３で示されるように、簡易式共用変換プラグ３の構造は、絶縁本体３１からなり、前端に複数の端子槽３１１を設け、絶縁本体３１後方に導線３３を連接し、絶縁本体３１上にボタン３２を有し、ジャックに挿入するのに用いられる。本考案の特徴は、ボタン３２上に一体成型の係合棒３２１を設置していることである。
【０００８】
図４、図５で示されるように、簡易式共用転換プラグ３の構造は、RJ４５ジャック３４に挿入時、ボタン３２が既に定位にある時、ボタン３２上の係合棒３２１がジャックを支承し、絶縁本体３１を安定して支承し、揺動せず、本考案を原規格のジャックとRJ45ジャック３４に適用できる。
【０００９】
図６、図７を参照すると、本考案のRJ１１プラグ３６はボタン３２上に係合棒３５を装着し、係合素子３５はボタン３２上に緊接されており、RJ１１プラグ３６がジャックに挿入される時、係合素子３５の係合棒３５１がジャックを支承し、プラグが安定してジャック中で支承される。
【００１０】
図８で示されるように、本考案の簡易式共用変換プラグ４は、その絶縁本体４１がノート型パソコン４３中のRJ４５ジャック４４に連接でき、導線４２はプラグを交換する必要がない。
【００１１】
本考案は以下のような長所が得られる。
１．単一規格を生成し、コストを抑制する。
２．一体成型の係合棒がコストを減少させる。
３．係合素子は一般の電話線プラグに通用する。
４．使用者が便利に使用、携帯できる。
５．操作が容易である。
【００１２】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１３】
【図１】公知のRJ１１電話線プラグの立体図である。
【図２】公知のRJ45インターネット線プラグの立体図である。
【図３】本考案の簡易式共用変換プラグの立体図である。
【図４】本考案の簡易式共用変換プラグの接合図である。
【図５】本考案の簡易式共用変換プラグの接合断面図である。
【図６】本考案の係合素子とRJ１１プラグの立体図である。
【図７】本考案の係合素子とRJ１１プラグを示す図である。
【図８】本考案の簡易式共用変換プラグの実施例図である。
【符号の説明】
【００１４】
1    RJ11プラグ
11   絶縁本体
12   ボタン
13   端子槽
14   導線
15   RJ11ジャック
2    RJ45プラグ
21   絶縁本体
22   ボタン
23   端子槽
24   導線
25   RJ45ジャック
3    簡易式共用変換プラグ
31   絶縁本体
311  端子槽
32   ボタン
321  係合棒
33   導線
34   RJ45ジャック
35   係合素子
351  係合棒
36   RJ11プラグ
4   簡易式共用変換プラグ
41  絶縁本体
42  導線
43  ノート型パソコン
44  RJ45ジャック
【図１】
0003128288.tif 000003
【図２】
0003128288.tif 000004
【図３】
0003128288.tif 000005
【図４】
0003128288.tif 000006
【図５】
0003128288.tif 000007
【図６】
0003128288.tif 000008
【図７】
0003128288.tif 000009
【図８】
0003128288.tif 000010
【手続補正書】
【提出日】平成18年10月19日(2006.10.19)
【手続補正１】
【補正対象書類名】実用新案登録請求の範囲
【補正対象項目名】請求項１
【補正方法】変更
【補正の内容】
【請求項１】
簡易式共用変換プラグであって、絶縁本体からなり、前端に複数の端子槽を設け、端子をそれぞれ前記端子槽中に設置し、その特徴は、前記絶縁本体のボタン上に一体成型の係合棒を設置し、前記プラグが広いジャックに挿入される時、前記係合棒がジャックを支承し、前記プラグが揺動せず、前記プラグが異なる規格のジャックに適用できることを特徴とする簡易式共用変換プラグ。
【手続補正２】
【補正対象書類名】実用新案登録請求の範囲
【補正対象項目名】請求項４
【補正方法】変更
【補正の内容】
【請求項４】
簡易式共用変換プラグであって、絶縁本体からなり、前端に複数の端子槽を設け、端子をそれぞれ前記端子槽中に設置し、その特徴は、前記プラグ上方のボタン上に取り外し可能な係合素子を増設し、前記プラグが広いジャックに挿入される時、前記係合素子がジャックを支承し、前記プラグが揺動せず、前記プラグが異なる規格のジャックに適用できることを特徴とする簡易式共用変換プラグ。